(57)【要約】【課題】通信用フレームの同期が保てなくなることを防止すると共に、元の基地局にエア同期を迅速に復帰させる基地局および無線通信システムを提供すること。【解決手段】フレームの同期を行うために他の基地局と無線で同期をとる基地局において、同期可能な他の基地局の識別子を取得する取得部１３と、他の基地局と同期中に同期ができなくなったことを検出する検出部１７と、他の基地局と同期中に同期ができなくなったとき、同期先を切り替えると共に、復帰したか否かを確認する同期制御部１６とを備える構成を有し、同期制御部１６は、復帰したか否かを確認していた基地局が復帰した場合、復帰した基地局に同期を切り替えるように構成する。【選択図】図１
2015207883.tif 000002
【特許請求の範囲】
【請求項１】
フレームの同期を行うために他の基地局と無線で同期をとる基地局において、
同期可能な他の基地局の識別子を取得する取得部と、
前記他の基地局と同期中に同期ができなくなったことを検出する検出部と、
前記他の基地局と同期中に同期ができなくなったとき、同期先を切り替えると共に、復帰したか否かを確認する同期制御部と
を備える基地局。
【請求項２】
前記同期制御部は、復帰したか否かを確認していた基地局が復帰した場合、復帰した基地局に同期を切り替える請求項１に記載の基地局。
【請求項３】
第１の基地局がフレームの同期を行うために第２の基地局と無線で同期をとる無線通信システムにおいて、
前記第１の基地局は、
同期可能な他の基地局の識別子を取得する取得部と、
前記第２の基地局と同期中に同期ができなくなったことを検出する検出部と、
前記第２の基地局と同期中に同期ができなくなったとき、同期先を他の基地局に切り替えると共に、前記第１の基地局が復帰したか否かを確認する同期制御部と
を備える無線通信システム。
【発明の詳細な説明】
【技術分野】
【０００１】
本発明は、基地局間で通信する基地局および無線通信システムに関する。
【背景技術】
【０００２】
無線通信システムの１つであるＰＨＳ（Personal Handy phone System）では、フレームタイミングを揃えるフレーム同期と、フレームタイミングを維持する回線同期、ＧＰＳ同期、もしくはエア同期が行われる。フレーム同期は、フレームタイミングの基準となる基準基地局を所定領域毎に点在させ、周辺の基地局は基準基地局を中心に順次に制御信号を受信してフレームタイミングを一致させる処理である。基準基地局を０次として、何段目に同期したかという段数を次数という。基準基地局では、ＧＰＳ衛星の協定世界時（ＵＴＣ）を参照することによってフレームタイミングを決定し、フレームタイミング決定後は回線同期によりフレームタイミングを維持している。
【０００３】
フレームタイミングを維持する同期では、所定の基準クロックに対するフレームタイミングのずれを維持するようにその基地局の基本クロックを調整（加減速）することによって行われる。回線同期では、ＩＳＤＮ回線のクロックや光回線のＤＳＵ（Digital Service Unit）、ＯＮＵ（Optical Network Unit）から供給されるクロックを基準クロックとして同期を行う。ＧＰＳ同期では、ＧＰＳ衛星から発信される１ＰＰＳ信号を基準クロックとして同期を行う（例えば特許文献１）。
【０００４】
ＧＰＳ同期を行っている基地局（以下、ＧＰＳ同期基地局と称する）においてＧＰＳ衛星が不可視になった場合、１ＰＰＳ信号を受信できなくなる。このような場合は、ホールドオーバ回路によって擬似１ＰＰＳ信号を生成する。しかしながら、擬似１ＰＰＳ信号は１ＰＰＳ信号よりも精度が低いため、ホールドオーバ状態が所定時間経過したらエア同期を行う。エア同期では、周辺の基地局が送信した制御信号（ＣＣＨ：Control CHannel）を受信して、その基地局のフレームタイミングを基準クロックとして自局基準クロックの補正（加減速）を行なう（例えば特許文献２）。
【０００５】
ここで、エア同期を要求する基地局を同期要求基地局（ＳＢＵ）と呼び、エア同期を提供する基地局を同期提供基地局（ＮＢＵ）と呼ぶ。
【０００６】
図４に、従来のエア同期手順を示す。まず、ＳＢＵとＮＢＵは、フレーム同期を行っている。ＳＢＵは、受信範囲内に他の基地局がいるか否かモニタし、受信できる基地局の識別子（ＣＳＩＤ）を取得する。次に、ＳＢＵは、エア同期可能な基地局（ＮＢＵ）のＣＳＩＤを１つ選択する。ＮＢＵは、同期先候補を探すための報知情報確認を配信する。ＳＢＵは、エア同期可能な基地局であればBH-LCH応答要求をＮＢＵに送信する。ＮＢＵは、BH-LCH応答要求に応じてBH-LCH応答を返信したとき、エア同期が開始される。
【０００７】
なお、バックホールリンクチャネルLCH（Link CHannel）は、基地局間がサービスチャネル確立フェーズで使用するチャネルである。
【先行技術文献】
【特許文献】
【０００８】
【特許文献１】特開２００１−３３９３７３号公報
【特許文献２】特開２０１０−１１８７２６号公報
【発明の概要】
【発明が解決しようとする課題】
【０００９】
しかしながら、従来では、同期要求基地局（SBU）のエア同期の相手先は１つの同期提供基地局（NBU）のみであり、他の同期提供基地局にはエア同期しない。
【００１０】
図５に示すように、ＮＢＵのＣＣＨが受信できなくなることがあるため、エア同期が失敗し、ＳＢＵのクロック精度が保てなくなる。このため、エア同期失敗後にエア同期処理を再開する必要があるが、再度エア同期シーケンスを起動し、フレーム同期からやり直すため、再同期完了までに長い時間が発生し、同期が保てなくなる。
【００１１】
そこで、本発明は、従来の課題を解決するためになされたもので、通信用フレームの同期が保てなくなることを防止すると共に、元の基地局にエア同期を迅速に復帰させる基地局および無線通信システムを提供することを目的とする。
【課題を解決するための手段】
【００１２】
本発明の基地局は、フレームの同期を行うために他の基地局と無線で同期をとる基地局において、同期可能な他の基地局の識別子を取得する取得部と、前記他の基地局と同期中に同期ができなくなったことを検出する検出部と、前記他の基地局と同期中に同期ができなくなったとき、同期先を切り替えると共に、復帰したか否かを確認する同期制御部とを備える構成を有している。
【００１３】
本発明の基地局の前記同期制御部は、復帰したか否かを確認していた基地局が復帰した場合、復帰した基地局に同期を切り替える。
【００１４】
本発明の無線通信システムは、第１の基地局がフレームの同期を行うために第２の基地局と無線で同期をとる無線通信システムにおいて、前記第１の基地局は、同期可能な他の基地局の識別子を取得する取得部と、前記第２の基地局と同期中に同期ができなくなったことを検出する検出部と、前記第２の基地局と同期中に同期ができなくなったとき、同期先を他の基地局に切り替えると共に、前記第１の基地局が復帰したか否かを確認する同期制御部とを備える。
【発明の効果】
【００１５】
本発明は、通信用フレームの同期が保てなくなることを防止すると共に、元の基地局にエア同期を迅速に復帰させる基地局および無線通信システムを提供するものである。
【図面の簡単な説明】
【００１６】
【図１】本発明の実施の形態に係る基地局の構成図である。
【図２】本発明の実施の形態に係るエア同期手順を示すシーケンス図である。
【図３】本発明の実施の形態に係る同期要求基地局（ＳＢＵ）のエア同期手順を示すフローチャートである。
【図４】従来のエア同期手順を示す図である。
【図５】従来のエア同期が中断されたときの手順を示す図である。
【発明を実施するための形態】
【００１７】
以下、本発明の実施の形態について、図面を参照して説明する。
【００１８】
図１は、本発明の実施の形態に係る基地局の構成図である。図１に示した基地局は、送信部１１、受信部１２、ＢＳ情報取得部１３、ＢＳ情報記憶部１４、ＣＳＩＤ選択部１５、エア同期制御部１６、ＮＢＵ検出部１７、およびエア同期切替判定部１８によって構成されている。
【００１９】
図１に示した基地局は、時分割多重にてフレーム単位で通信しており、例えば、ＰＨＳの通信システムに準拠している。 
【００２０】
送信部１１は、無線信号を送信するように構成されており、受信部１２は、無線信号を送信するように構成されている。
【００２１】
ＢＳ情報取得部１３は、受信範囲内に他の基地局がいるか否かモニタし、受信できるそれぞれの基地局の識別子（ＣＳＩＤ）を取得するように構成されている。ＢＳ情報記憶部１４は、取得したＣＳＩＤを記憶するように構成されている。
【００２２】
ＣＳＩＤ選択部１５は、取得したＣＳＩＤのうち、最も適切なＣＳＩＤを選択するように構成されている。適切なＣＳＩＤは、例えば、隣接基地局の中で受信感度が最も良い基地局のＣＳＩＤである。
【００２３】
エア同期制御部１６は、ＢＳ情報記憶部１４に記憶されているＣＳＩＤの基地局とエア同期を行うように構成されている。
【００２４】
ＮＢＵ検出部１７は、エア同期中にＮＢＵのＣＣＨが受信できなくなったことを検出するように構成されている。
【００２５】
エア同期切替判定部１８は、ＮＢＵ検出部１７の検出により、エア同期先のＮＢＵを切り替えるか否かを判定するように構成されている。
【００２６】
エア同期制御部１６は、他の基地局と同期中に同期ができなくなったとき、同期先を切り替えると共に、復帰したか否かを確認するように構成されている。また、エア同期制御部１６は、復帰した場合、復帰した基地局にエア同期を切り替えるように構成されている。
【００２７】
図２は、本発明の実施の形態に係るエア同期手順を示すシーケンス図である。
【００２８】
まず、ＳＢＵとＮＢＵとで、フレーム同期を行っており、ＮＢＵ検出部１７がエア同期中にＮＢＵのＣＣＨの送信が停止したことを検出したとき、ＳＢＵは、他のエア同期可能な基地局を検索し、他のエア同期可能な基地局がある場合、この基地局にエア同期を切替える。
【００２９】
その間、ＳＢＵは、ＣＣＨの送信が停止したＮＢＵが復帰したか否かをモニタし、基地局が復帰した場合、ＳＢＵは、報知情報確認を受信してＢＨ−ＬＣＨ応答要求をＮＢＵに送信し、ＮＢＵは、ＢＨ−ＬＣＨ応答要求に応じてＢＨ−ＬＣＨ応答を返信する。ＳＢＵは、このＢＨ−ＬＣＨ応答を受信したとき、エア同期を元に切り替える。
【００３０】
図３は、本発明の実施の形態に係る同期要求基地局（ＳＢＵ）のエア同期手順を示すフローチャートである。図３（Ａ）は、エア同期手順を示すフローチャートであり、図３（Ｂ）は、エア同期中にＮＢＵが中断した場合の手順を示すフローチャートである。
【００３１】
まず、ＳＢＵは、フレーム同期を行う（Ｓ１）。ＳＢＵは、受信範囲内に他の基地局がいるか否かモニタし（Ｓ２）、受信できる全ての基地局の識別子（ＣＳＩＤ）を取得して保持する（Ｓ３）。次に、ＳＢＵは、エア同期可能な基地局（ＮＢＵ）のＣＳＩＤを１つ選択する（Ｓ４）。
ＮＢＵは、同期先候補を探すための報知情報確認を配信したとき、ＳＢＵは、報知情報確認を受信する（Ｓ５）。
【００３２】
ＳＢＵは、エア同期可能な基地局であればＢＨ−ＬＣＨ応答要求をＮＢＵに送信し、ＮＢＵは、ＢＨ−ＬＣＨ応答要求に応じてＢＨ−ＬＣＨ応答を返信する（Ｓ６）。ＳＢＵは、このＢＨ−ＬＣＨ応答を受信したとき（Ｓ７）、エア同期を開始する（Ｓ８）。
【００３３】
次に、ＮＢＵ検出部１７がエア同期中にＮＢＵのＣＣＨの送信が停止したことを検出したとき、ＳＢＵは、他のエア同期可能な基地局（ＮＢＵ）のＣＳＩＤがあるか否か確認する（Ｓ１１）。他のＣＳＩＤがある場合（例えば、２番目に受信感度が良好な基地局のＩＤ）、ＳＢＵは、他のＣＳＩＤのＮＢＵの報知情報確認を受信したとき、このＮＢＵにエア同期を切替える（Ｓ１２）。
【００３４】
同時に、ＳＢＵは、ＣＣＨの送信が停止した基地局が復帰したか否かモニタし（Ｓ１３）、基地局が復帰した場合（Ｓ１４）、ＳＢＵは、報知情報確認を受信して
ＢＨ−ＬＣＨ応答要求をＮＢＵに送信し、ＮＢＵは、ＢＨ−ＬＣＨ応答要求に応じてＢＨ−ＬＣＨ応答を返信する（Ｓ１５）。ＳＢＵは、このＢＨ−ＬＣＨ応答を受信したとき、エア同期を元に切り替える（Ｓ１６）。
【００３５】
以上説明したように、本発明の実施の形態に係る基地局は、同期可能なＮＢＵの識別子を取得して、ＮＢＵと同期中に同期ができなくなったとき、他のＮＢＵに同期先を切り替えると共に、復帰したか否かを確認していた基地局が復帰した場合、復帰した基地局に同期を切り替えるため、通信用フレームの同期が保てなくなることを防止すると共に、元の基地局にエア同期を迅速に復帰させる。
【００３６】
ＳＢＵは、ＮＢＵと同期中に同期ができなくなったとき、他のＮＢＵとエア同期することでＳＢＵのクロック精度を保持する。これにより、エア同期手順の一つである『フレーム同期』を省略できる。また、前回エア同期したNBUのCSIDを保持することで、『報知情報確認』の手順も省略可能となる。
【符号の説明】
【００３７】
１１  送信部
１２  受信部
１３  ＢＳ情報取得部
１４  ＢＳ情報記憶部
１５  ＣＳＩＤ選択部
１６  エア同期制御部
１７  ＮＢＵ検出部
１８  エア同期切替判定部
【図１】
2015207883.tif 000003
【図２】
2015207883.tif 000004
【図３】
2015207883.tif 000005
【図４】
2015207883.tif 000006
【図５】
2015207883.tif 000007